(57)【要約】  本発明に係る表示装置は、２本の電動巻き付けシャフト間で、ポスター帯を支持材の周りでスクロールさせ得る表示装置であって、該シャフトには、それらを両方向に連続的に回転させる手段が取り付けられ、かつ、該ポスター帯の２つの端部への結合手段が取り付けられる。該支持材は、少なくともその表面の一部において該ポスター帯に向かって湾曲し、かつ、該支持材は、該ポスター帯の巻き取りシャフトの動作時に、内部空気圧が増加するようにされたチャンバーの正面壁を形成する、穴の開いた壁を備える。
2008521038.tif 000002
【特許請求の範囲】
【請求項１】
２本の電動巻き付けシャフト（８，９）間で、ポスター帯（３）を支持材（１０７）の周りでスクロールさせ得る表示装置であって、
前記シャフトには、それらを両方向に連続的に回転させる手段が取り付けられ、かつ、前記ポスター帯の２つの端部への結合手段が取り付けられ、
前記支持材（１０７）は、少なくともその表面の一部において前記ポスター帯に向かって湾曲し、かつ、前記支持材は、前記ポスター帯の巻き取りシャフト（８，９）の動作時に、内部空気圧が増加するようにされたチャンバー（１１０）の正面壁を形成する、穴の開いた壁（１０９）を備えることを特徴とする表示装置。
【請求項２】
前記穴の開いた壁面（１０９）は、複数の穴（１１３）を備えるパネル（１０９）からなることを特徴とする請求項１に記載の表示装置。
【請求項３】
前記穴の開いた壁面は、前記ポスター帯の通路と一致する形状の少なくとも１のスラット（slat）（１１５）からなり、
各前記スラット（１１５）は前記巻き付けシャフト（８，９）に対して横方向に方向付けられていることを特徴とする請求項１に記載の表示装置。
【請求項４】
前記穴の開いた壁面（１０９，１１５）は、半透明又は透明であることを特徴とする請求項１〜３のいずれか１項に記載の表示装置。
【請求項５】
その内圧が増加するようにされた前記チャンバー（１１０）は、プレート（１０８）からなる背面壁と、枠部（１１４）からなる周辺壁とを備えることを特徴とする請求項１〜４のいずれかに記載の表示装置。
【請求項６】
前記背面壁を形成する前記プレート（１０８）は半透明又は透明の材質で造られていることを特徴とする請求項１〜５のいずれか１項に記載の表示装置。
【請求項７】
各スラット（１１５）は、半透明又は透明の材質で造られたスペーサ（１１６）を介在させて、前記背面壁（１０８）に平行に搭載されることを特徴とする請求項３、４、６のいずれか１項に記載の表示装置。
【請求項８】
送出口が、前記チャンバー（１００）内の開口（１１２）に通じ、動作時に前記チャンバーの内圧を上昇させる送風機（１１１）を備えることを特徴とする請求項1〜７のいずれか１項に記載の表示装置。
【請求項９】
前記送風機動作制御手段は、前記ポスター帯の前記巻き付けシャフトを駆動するモーターの動作制御手段によって制御されることを特徴とする請求項８に記載の表示機。
【発明の詳細な説明】
【技術分野】
【０００１】
本発明はポスター帯を支持材の周りでスクロールさせ得る表示装置に関する。
【背景技術】
【０００２】
一連の広告又は情報提供用ポスターを一箇所でスクロールする装置は公知である。そのような装置は、表示面が限定されていたとしても広告活動や情報提供活動が影響を受けないため価値が高いものである。
【０００３】
公知の表示装置は、ポスターの端と端とが結合され複数のポスターで構成されるスクロールポスター帯の前に、透明な面を備える表面構造を有する。このスクロールポスター帯は、透明又は半透明である支持材のそばを通り過ぎるように移動させられる。そしてこの支持材の背後には照明装置が取り付けられていることがある。
【０００４】
ポスター帯のそれぞれの端は巻き付けシャフトに取り付けられている。２本の平行に配置された巻き付けシャフトは、通常は装置の２の垂直なエッジに沿って配置される。巻き付けシャフトは、一方のシャフトがポスター帯を巻き上げている時に、それと同時に、他方のシャフトが同等の長さのポスター帯を繰り出すように同調して駆動する。また、複数の巻き付けシャフトは、一枚のポスターの長さと同等分だけポスター帯が動くように連続的に駆動を開始する。ポスターが視認可能となると、公衆がポスターの内容をみることができるように、ポスター帯は所定期間停止する。そして、ポスター帯は、次のポスターを視認可能とすべく、前のポスターと同一方向に移動させられる。同様にして全てのポスターが展示されるまで同一の方向への移動が行われる。このときに、巻き付けシャフトの回転方向は反転し、ポスター帯は反対方向へと移動させられる。
【０００５】
帯をスクロールする表示装置は平らな支持材を備える。ポスター帯の駆動を妨げたりポスター帯に損傷を与えうる、ポスター帯の支持材との摩擦を防止するために、スペーサローラーが支持材の両端に、ドライブローラーと隣接して配置される。
【０００６】
都市環境で頻繁に用いられる他のタイプの表示機としては、モリスコラムが挙げられる。モリスコラムは外側が表示面を形成する円筒型の構造である。このモリスコラムにより提供される表示面は比較的限定されたものである。それらが設置される場所として典型的な歩道や歩行者専用エリアのために、スペースと美的見地の双方の理由によりモリスコラムの数が増えるのに疑問はない。
【発明の開示】
【発明が解決しようとする課題】
【０００７】
従って、これを回避する一つの方法は、モリスコラムにスクローリング表示装置を組み込むことである。しかしながら曲面周辺に沿うようにポスターをガイドする方法については次のような問題がある。すなわち、ポスターがそのような曲面と擦り合わせられた場合、使用されている材料の性質にある程度依存する静電気に起因して、前述の曲面とポスターとの吸い付きに関する問題が起こり得る。このような事が原因となり、故障が高い確率で起こりやすくなり、また、ポスター帯がすぐに破れてしまうことも考えられる。
【０００８】
従って本発明が解決しようとする技術的課題は、ポスター帯の動きに対する支持材が湾曲した支持材であるスクローリング機能付の表示装置において、前述の問題なしにポスター帯をいかにガイドするかというものである。
【課題を解決するための手段】
【０００９】
本発明に係る表示装置は、２本の電動巻き付けシャフト間で、ポスター帯を支持材の周りでスクロールさせ得る表示装置であって、該シャフトには、それらを両方向に連続的に回転させる手段が取り付けられ、かつ、該ポスター帯の２つの端部への結合手段が取り付けられ、該支持材は、少なくともその表面の一部において該ポスター帯に向かって湾曲し、かつ、該支持材は、該ポスター帯の巻き取りシャフトの動作時に、内部空気圧が増加するようにされたチャンバーの正面壁を形成する、穴の開いた壁を備える。
【００１０】
支持材の形状に起因して、ポスター帯は少なくとも支持材の表面の一部には接する。支持材背後のチャンバーは穴が開けられ、かつ加圧されているから、空気をポスターの方向へ漏出させることができる。この漏出による空気が支持材からポスターを分離させる空気の層を形成し、ポスター帯が支持材と接触することによるポスター帯のつまりを防ぐことができる。本発明はポスター帯が破れないことを保証するだけではなく、支持材に付着しているポスターを動かそうとすると発生する抵抗力に起因するドライブシャフトへの過剰な圧迫を防止することができるものである。
【００１１】
この装置の一実施形態では、前述した穴の開いた壁は穴を備えるパネルから成る。
【００１２】
この装置の他の実施形態では、前述した穴の開いた壁は、ポスター帯の進路と一致する形状の少なくとも一枚のスラットから成る。そして前述のスラットは巻き付けシャフトに対して横方向に方向づけられるように配置されている。
【００１３】
前述した穴の開いた壁は透明か半透明である。この特徴は照明をポスターの背後から供給することを可能とするため、表示装置の夜間使用が可能となる。
【００１４】
本発明の他の特徴は、内圧が上昇するように設計されたチャンバーが、プレートから成る背面壁と、枠部からなる周辺壁を備えることである。
【００１５】
さらに、前述の背面壁を構成するプレートは透明又は半透明の材料で形成されている。
【００１６】
支持材が複数のスラットから成る場合、各スラットは透明又は半透明の材料で形成されたスペーサを間にいれて背面壁と平行になるように実装される。この配置は、背後から照明が供給されたときに公衆から支持材を見えないようにすることを意図するものである。
【００１７】
本発明の他の特徴は、装置が、送風口がチャンバー内の穴である送風機を備えることである。送風機は、送風機の駆動中にチャンバーの内圧を上昇させることをも目的とする。
【００１８】
さらに、送風機の動作制御手段は、ポスター帯の巻き付けシャフトを駆動するモーターの動作制御手段によってコントロールされる。
【００１９】
しかしながら、本発明を明確に理解するために、添付されている図を参照して説明する。なお、添付されている図は本発明の装置のいくつかの実施形態を示すものであり限定的な例を示すものではない。
【図面の簡単な説明】
【００２０】
【図１】３つの表示装置を備えた円柱の断面図である。
【図２】図１に示される表示装置の拡大された横断面図である。
【図３】表示装置を表す図２におけるIII−IIIで示される線での断面図である。
【図４】第二の表示装置の正面図である。
【図５】図４に示される表示装置の横断面図である。
【図６】第二の表示装置を示す図５におけるVI−VIで示される線での断面図である。
【発明を実施するための最良の形態】
【００２１】
図１は例えばモリスコラムのような円形構造体２である。円形構造体２はその周囲に３枚のポスター帯３を表示するために三の表示機１０２を備える。各ポスター帯は一般参照４で示されるフレームに搭載される。
【００２２】
このフレームには、ポスター帯３の端を巻きつける垂直に立った電動のシャフト８、９が備え付けられている。一枚のポスターの長さは、前述の円形構造体の外壁と平行かつ前述の円形構造体の外壁近傍の円の弧と同等である。フレーム４の後ろ、言い換えればシャフト８とシャフト９との間には、蛍光灯１３を備える表示装置１２が装備されている。
【００２３】
図２にさらに詳細に示されている通り、各々の表示機１０２は、背面壁１０８、正面壁１０９を備える支持材１０７と、湾曲面１０６とを備える。チャンバー１１０で特徴的なのは湾曲面１０６、支持材１０７ともに透明又は半透明であることである。チャンバー１１０は枠部１１４によって周辺を取り囲まれている。送風機１１１は、背面壁１０８の中心又はその周辺に形成された開口１１２を経由して内部スペース１１０と接続された排気口を備える。正面壁１０９は、打ち抜き穴の配列を特徴付ける複数の穴１１３によって穴が開いている。
【００２４】
さらに、図３に示されている通り、表示機１０２にはポスター帯３を支持するシステムが備わっている。このシステムは、第一可動台１３１と第二可動台１３２の可動範囲に沿うガイドレール１３０を備える。第一可動台１３１、第二可動台１３２ともに、支持板１３５に対してポスター帯を押し付けるために、電磁石１３４によって駆動する吸着器具１３３を有する。前述した可動台の数は、ポスター帯３に備わるポスターの数に依存するものであるから２に限定される訳ではない。可動台の数は、最初に隠れているポスターの数と一致する。例えば、ポスター帯が３枚のポスターを備えており始端部がなければ、２の可動台が必要となる。
【００２５】
ドライブシャフト８、９が回転しているときには送風機１１１はオン状態となる。これによりチャンバー１１０内の圧力は増加し正面壁１０９の複数の穴１１３を通過して空気が漏れる。前述の穴を経由した空気の漏れは、正面壁１０９の表面に対するエアークッションを、支持材１０７とポスター帯３の間に形成する。このようにして、ポスター帯の支持材１０７へのくっつきを防止する。従って送風機１１１と穴が開けられた正面壁１０９とは、ポスター帯３の案内手段を形成することになる。ポスター帯３が、例えば、巻き付けシャフト９から巻き付けシャフト８方向へスクロールするときに、第一可動台１３１の電磁石１３４は、図示していない電気制御カードによって、吸着器具１３３がポスター帯３の第一のポスターと第二のポスターとの境界又はその近傍をとらえるように電圧を印加される。そして、第一可動台１３１はポスター帯と共に、ポスター帯を保持して動き、巻き付けシャフト８の近傍にて吸着器具１３３がポスター帯を離すために電磁石１３４への電圧印加が終了する。ポスター帯の、第二のポスターと第三のポスターの境界又はその近傍を支持するように設計された第二可動台１３２に対しても同様の手段が適用される。巻き付けシャフト８、９が逆方向に駆動している場合も、可動台は同様の方法で駆動させられる。
【００２６】
図４−６は、本発明における表示装置の変形を示す図であり、これらの図において、ここまでで既に説明された構成部分については同一の参照番号が用いられている。
【００２７】
本質的な違いは、ポスターが誘導される場所付近の正面壁には、穴の開いたパネルではなく、２本の水平ストライプ（スラット）１１５が形成され、かつ、それらは透明又は半透明の材料からなる。そして、枠部１１４の底部と上部は加圧されたチャンバーを密閉する。スラット１１５は、透明又は半透明な材料からなるスペーサ１１６によって背面壁１０８と一定距離だけ離されている。本実施形態においては加圧されたチャンバー１１０と近接するのはポスター自身である。
【００２８】
巻き付けシャフト８、９が停止し送風機１１１も停止し、ポスターが視認可能な場所にあるとき、支持材が湾曲を有することは、ポスターが支持材に押し付けられ加圧されたチャンバー１１０に近づくことを意味する。シャフト８、９が回転し、送風機１１１がチャンバー１１０内の加圧を行っているとき、ポスターはスラット１１５にわずかに接触し得るが、支持材とは離れてスクロールすることが出来る。ところで、チャンバー１１０内の圧力は上昇しているため、前述の接触は非常に限定される。よってポスターがスラットにくっついてポスターが損傷を受けるリスクは無い。
【００２９】
ここまでの記載から明らかなように、本発明の表示装置によれば、少なくとも部分的に湾曲した支持材の周りを、ポスター帯がその支持材と接触することに起因するポスター帯の過剰な抵抗によってポスター帯巻き付けシャフトの駆動モーターやポスター帯へダメージを与えるいかなるリスクもなく、ポスター帯をスクロールさせることができるため、従来技術と比較して顕著な改善を与えるものである。上述した実施形態は本発明の一例であるから、本発明はこれらに限定されず様々な変形を網羅したものである。例えば、バナーは水平ではなく垂直にスクロールされることも考えられるし、ガイドスラットの数が異なることも考えられ、本発明の要旨を逸脱しない範囲で様々な変更が可能である。
【図１】
2008521038.tif 000003
【図２】
2008521038.tif 000004
【図３】
2008521038.tif 000005
【図４】
2008521038.tif 000006
【図５】
2008521038.tif 000007
【図６】
2008521038.tif 000008
【国際調査報告】
2008521038.tif 000009
2008521038.tif 000010
2008521038.tif 000011
2008521038.tif 000012